(57)【要約】【課題】  乾燥運転を適切に実行することができる衣類乾燥機を提供する。【解決手段】  衣類乾燥機は、ドラムと、ファンと、バーナと、吹出温センサと、関係温度検出手段と、制御装置と、を備える。制御装置は、バーナ及びファンを作動させることによって乾燥運転を開始させた後で、関係温度が所定のオフ閾値以上になる場合にバーナを停止させ、バーナを停止させた後に、関係温度が、所定のオフ閾値よりも低い所定のオン閾値を下回る場合に、バーナを再度作動させるバーナ制御運転を実行可能に構成されている。制御装置は、乾燥運転を開始させた後、関係温度が初めて所定のオフ閾値以上になる場合に、バーナ制御運転を開始し、乾燥運転を開始させた後、関係温度が初めて所定のオフ閾値以上になるまで、吹出温に応じて、所定のオフ閾値を補正する。【選択図】  図１
2019037590.tif 000002
【特許請求の範囲】
【請求項１】
衣類を収容するドラムと、
外部から前記ドラム内に空気を送るファンと、
前記ドラム内に送られる空気を加熱するバーナと、
前記バーナによって加熱された後であって前記ドラム内に送られる前の空気の温度である吹出温を検出する吹出温センサと、
前記ドラム内の衣類の乾燥に関係する関係温度を検出する関係温度検出手段と、
制御装置と、を備えており、
前記制御装置は、
前記バーナ及び前記ファンを作動させることによって乾燥運転を開始させた後で、前記関係温度が所定のオフ閾値以上になる場合に前記バーナを停止させ、前記バーナを停止させた後に、前記関係温度が、前記所定のオフ閾値よりも低い所定のオン閾値を下回る場合に、前記バーナを再度作動させるバーナ制御運転を実行可能に構成されており、
前記制御装置は、
前記乾燥運転を開始させた後、前記関係温度が初めて前記所定のオフ閾値以上になる場合に、前記バーナ制御運転を開始し、
前記乾燥運転を開始させた後、前記関係温度が初めて前記所定のオフ閾値以上になるまで、前記吹出温に応じて、前記所定のオフ閾値を補正する、
衣類乾燥機。
【請求項２】
エラーを報知する報知装置を、さらに備え、
前記制御装置は、
前記乾燥運転を開始させた後、前記関係温度が初めて前記所定のオフ閾値以上になるまでの間、前記吹出温が第１の所定値以上である場合に、前記報知装置を駆動させ、
前記乾燥運転を開始させた後、前記関係温度が初めて前記所定のオフ閾値以上になったときに、前記吹出温が前記第１の所定値よりも低い第２の所定値以上である場合に、前記報知装置を駆動させる、請求項１に記載の衣類乾燥機。
【請求項３】
前記制御装置は、
前記乾燥運転を開始させた後、前記関係温度が初めて前記所定のオフ閾値以上になるまで、前記吹出温に応じて、前記所定のオン閾値を補正する、請求項１または２に記載の衣類乾燥機。
【発明の詳細な説明】
【技術分野】
【０００１】
本発明は、衣類乾燥機に関する。
【背景技術】
【０００２】
特許文献１には、衣類を収容するドラムと、外部からドラム内に送られる空気を加熱するバーナと、バーナによって加熱された後であってドラム内に送られる前の空気の温度である吹出温を検出する吹出温センサと、制御装置と、を備える衣類乾燥機が開示されている。この衣類乾燥機では、ドラム内から外部に空気が排出される排気経路に、ドラム内で発生した糸くずなどが外部に排出されることを防ぐためのリントフィルタが設けられている。
【０００３】
一般的に、リントフィルタがリントによって閉塞されてくると、ドラムを通過する風量が低下してくる。その結果、リントフィルタが閉塞される前に比べて吹出温が高温になる。特許文献１の衣類乾燥機では、制御装置は、ファン及びバーナを作動させて乾燥運転を開始した後における吹出温センサが検出する吹出温を監視し、リントフィルタが閉塞されているか否かを判定し、閉塞されている場合に報知動作を行う。
【先行技術文献】
【特許文献】
【０００４】
【特許文献１】特開平６−３１９８９８号公報
【発明の概要】
【発明が解決しようとする課題】
【０００５】
リントフィルタが閉塞されている状況において、リントフィルタが速やかに清掃されず、そのまま乾燥運転が継続される場合がある。そのような場合、乾燥運転が適切に完了しない可能性がある。
【０００６】
本明細書では、乾燥運転を適切に実行することができる衣類乾燥機を開示する。
【課題を解決するための手段】
【０００７】
本明細書が開示する衣類乾燥機は、衣類を収容するドラムと、外部から前記ドラム内に空気を送るファンと、前記ドラム内に送られる空気を加熱するバーナと、前記バーナによって加熱された後であって前記ドラム内に送られる前の空気の温度である吹出温を検出する吹出温センサと、前記ドラム内の衣類の乾燥に関係する関係温度を検出する関係温度検出手段と、制御装置と、を備える。前記制御装置は、前記バーナ及び前記ファンを作動させることによって乾燥運転を開始させた後で、前記関係温度が所定のオフ閾値以上になる場合に前記バーナを停止させ、前記バーナを停止させた後に、前記関係温度が、前記所定のオフ閾値よりも低い所定のオン閾値を下回る場合に、前記バーナを再度作動させるバーナ制御運転を実行可能に構成されている。前記制御装置は、前記乾燥運転を開始させた後、前記関係温度が初めて前記所定のオフ閾値以上になる場合に、前記バーナ制御運転を開始し、前記乾燥運転を開始させた後、前記関係温度が初めて前記所定のオフ閾値以上になるまで、前記吹出温に応じて、前記所定のオフ閾値を補正する。
【０００８】
関係温度が初めて所定のオフ閾値以上になった時点（以下では、「移行時点」と呼ぶ）において、吹出温は安定した状態である可能性が高い。一方、乾燥運転を開始させた後、関係温度が初めて所定のオフ閾値以上になるまでの間において、衣類がリントフィルタに張り付いて、吹出温が高温になる場合がある。しかしながら、リントフィルタへの衣類の張り付きは一時的な現象である場合が多い。即ち、リントフィルタへの衣類の張り付きは、比較的に短い期間で解消され、吹出温は元に戻る。このような状況において、リントフィルタへの衣類の張り付きによって高温になった吹出温よりも、安定後の吹出温が低い場合がある。吹出温が一時的に高温になった場合でも、移行時点では、吹出温は安定した温度に戻っている可能性が高い。上記の構成によると、制御装置は、乾燥運転を開始させた後、関係温度が初めて所定のオフ閾値以上になるまでの間、吹出温に応じて、所定のオフ閾値を補正する。従って、衣類がリントフィルタに張り付く等の現象によって吹出温が一時的に高温になった場合でも、制御装置は、所定のオフ閾値を、リントフィルタの閉塞度合いに対応する適切な値に補正することができる。このため、制御装置は、適切な所定のオフ閾値を利用して、乾燥運転を適切に実行することができる。この結果、乾燥運転が適切に完了する。なお、乾燥運転が適切に完了する場合とは、乾燥運転時間が適切な場合、又は、乾燥運転終了後の衣類の乾燥状態が適切な場合などである。
【０００９】
衣類乾燥機は、エラーを報知する報知装置を、さらに備えてもよい。制御装置は、乾燥運転を開始させた後、関係温度が初めて所定のオフ閾値以上になるまでの間、吹出温が第１の所定値以上である場合に、報知装置を駆動させ、乾燥運転を開始させた後、関係温度が初めて所定のオフ閾値以上になったときに、吹出温が第１の所定値よりも低い第２の所定値以上である場合に、報知装置を駆動させてもよい。
【００１０】
上記の構成によると、制御装置は、乾燥運転を開始させた後、関係温度が初めて所定のオフ閾値以上になったときに、吹出温が所定のオフ閾値が第２の所定値以上である場合に、報知装置を駆動させる。上述のように、移行時点において、吹出温は安定した状態である可能性が高い。従って、制御装置は、例えば、リントフィルタへの衣類の張り付き等によって吹出温が一時的に高温になった場合でも、報知装置を駆動させるのか否かを適切に判断することができる。
【００１１】
また、吹出温が比較的に高温である場合、リントフィルタの清掃が必要であることをユーザに早期に報知する必要がある。上記の構成によると、制御装置は、乾燥運転を開始させた後、関係温度が初めて所定のオフ閾値になるまでの間、吹出温が第１の所定値以上である場合に、報知装置を駆動させる。従って、リントフィルタの清掃が必要であることをユーザに早期に報知することができる。
【００１２】
制御装置は、乾燥運転を開始させた後、関係温度が初めて所定のオフ閾値以上になるまで、吹出温に応じて、所定のオン閾値を補正してもよい。
【００１３】
上記の構成によると、衣類乾燥機は、オフ閾値とともに、オン閾値を補正することができる。これにより、バーナの作動及び停止の繰り返し回数を調整することができるとともに、ドラム内の温度を、衣類の乾燥に適した温度に適切に維持することができる。
【図面の簡単な説明】
【００１４】
【図１】実施例の衣類乾燥機２の構成を模式的に示す図である。
【図２】実施例の制御装置７０によるメイン処理を示すフローチャートである。
【図３】実施例の制御装置７０による閉塞補正処理を示すフローチャートである。
【図４】実施例の制御装置７０によるコース判定処理を示すフローチャートである。
【図５】実施例の制御装置７０による衣類温温調処理を示すフローチャートである。
【図６】実施例の制御装置７０による排気温温調処理を示すフローチャートである。
【図７】実施例の補正値テーブルの一例である。
【図８】実施例の衣類乾燥機２によって実行される乾燥運転における衣類温、排気温、吹出温、衣類温オフ設定値、衣類温オン設定値、及び、電磁弁の動作状態の推移を示すグラフである。
【発明を実施するための形態】
【００１５】
（実施例）
（衣類乾燥機２の構成；図１）
図１に示すように、衣類乾燥機２は、筐体４と、ドア６と、ドラム１０と、ファン１４と、バーナ３０と、制御装置７０と、を備えている。
【００１６】
筐体４は、衣類乾燥機２の本体である。衣類乾燥機２の上記の各要素は筐体４内に収容されている。筐体４の前面（図１の左側）には、報知ランプ及び複数の操作ボタンが設けられている操作部８が設けられている。利用者は、操作部８を介して、衣類乾燥機２に様々な指示を入力可能である。ドア６は、筐体４の前面に設けられた扉である。
【００１７】
ドラム１０は、乾燥の対象の衣類Ｃを収容する容器である。ドラム１０は、モータ１２によって回転させられる。ドラム１０の前面側には前面開口部１０ａが開口しており、ドア６によって閉塞される。衣類乾燥機２の利用者は、ドア６を開けて、前面開口部１０ａを介してドラム１０内に衣類Ｃを投入するとともに、ドラム１０内から衣類Ｃを取り出すことができる。また、ドラム１０の前面側であって、前面開口部１０ａの側方には、ドラム１０内にバーナ３０で加熱された後の空気を送り込むための吹出口３６も開口されている。
【００１８】
ドラム１０内には、電極５０及び衣類温サーミスタ６０が設けられている。電極５０は、衣類Ｃに含まれる水分を検出する。衣類温サーミスタ６０は、ドラム１０内の衣類Ｃの温度（以下では「衣類温」と呼ぶ）を検出する。ドラム１０の回転に伴って衣類Ｃが電極５０及び衣類温サーミスタ６０に接触することにより、電極５０は衣類Ｃの水分を検出し、衣類温サーミスタ６０は衣類温を検出することができる。また、ドラム１０内には、図示しない重量センサも設けられている。重量センサは、ドラム１０内の衣類Ｃの重量を検出する。
【００１９】
また、ドラム１０の後面側（図１の右側）には後面開口部１０ｂが開口している。後面開口部１０ｂはリントフィルタ１６によって閉塞されている。リントフィルタ１６は、ドラム１０内の衣類Ｃ等から発生した糸くず（リント）を収集するためのフィルタである。リントフィルタ１６は、空気を通過させるが、空気に含まれる糸くず類を通過させずに捕捉する。
【００２０】
ファン１４は、ドラム１０の後側に配置されている。ファン１４を作動させることにより、筐体４の外部からドラム１０内に空気を送り込むとともに（図１の矢印Ｗ１〜Ｗ３参照）、ドラム１０内の空気を、筐体４の背面（図１中の右側）近傍の上面に形成された排気口２０に向けて送り出す（図１の矢印Ｗ４〜Ｗ６参照）ことができる。排気温サーミスタ２２は、排気口２０の近傍に設けられており、ドラム１０内から排気口２０に向けて送り出される空気の温度（以下では「排気温」と呼ぶ場合がある）を検出するサーミスタである。
【００２１】
バーナ３０は、ドラム１０の下方に配置されている。バーナ３０は、ガスを燃焼させた燃焼熱を利用して、外部から吹出口３６を介してドラム１０内に送りこまれる空気を加熱する（矢印Ｗ３参照）。バーナ３０には、ガス供給管３２を介して燃料であるガスが供給される。ガス供給管３２には、ガス供給管３２を開閉するための電磁弁３４が設けられている。バーナ３０と吹出口３６との間には吹出温サーミスタ４０が設けられている。吹出温サーミスタ４０は、バーナ３０で加熱された後の空気（即ち、吹出口３６からドラム１０内に送り込まれる空気（矢印Ｗ３参照））の温度（以下では「吹出温」と呼ぶ）を検出するサーミスタである。
【００２２】
制御装置７０は、上述の衣類乾燥機２の筐体４内の各構成要素と電気的に接続されており、各構成要素の動作を制御する。制御装置７０には、補正値テーブル７２（図７参照）が記憶されている。補正値テーブル７２については、後で説明する。
【００２３】
（衣類乾燥機２の動作）
次いで、本実施例の衣類乾燥機２の動作について説明する。利用者が、ドラム１０内に衣類Ｃを投入し、衣類乾燥機２の操作部８を介して所定の乾燥開始操作を入力すると、衣類乾燥機２は乾燥運転を実行する。乾燥運転が実行される間、制御装置７０は、図２〜図６に示す各処理を実行する。
【００２４】
（メイン処理；図２）
図２は、衣類乾燥機２の乾燥運転中に制御装置７０が実行するメイン処理のフローチャートを示す。制御装置７０は、操作部８において乾燥開始操作が入力されると、図２のメイン処理を開始する。Ｓ１０では、制御装置７０は、モータ１２及びファン１４を回転させるとともに、バーナ３０を作動させる。これによって乾燥運転が開始される。以下では、バーナ３０を作動させる（即ち燃焼状態にする）ことを「バーナ３０をオンする」と呼び、バーナ３０を停止させる（即ち消火状態にする）ことを「バーナ３０をオフする」と呼ぶ場合がある。
【００２５】
Ｓ１２では、制御装置７０は、この時点におけるオンオフデューティをパターン１に設定する。ここで、「オンオフデューティ」とは、所定の単位期間（本実施例では６０秒）のうち、バーナ３０をオンする期間（以下では「オン期間」と呼ぶ）と、バーナ３０をオフする期間（以下では「オフ期間」と呼ぶ）との割合のことである。後で詳しく説明する通り、Ｓ１０で乾燥運転を開始した後、排気温が所定の排気温オフ設定値以上になった後は、制御装置７０は、このオンオフデューティに従ってバーナ３０のオンオフを切り替える排気温温調制御（図６参照）を行う。図６に示すように、オンオフデューティには、予め定められた複数個のパターンが存在する。例えば、パターン１は、単位期間である６０秒のうち、オン期間が５０秒であり、オフ期間が１０秒である。パターン２は、オン期間が４５秒であり、オフ期間が１５秒である。パターン３は、オン期間が４０秒であり、オフ期間が２０秒である。このように、各パターンは、パターンの数値が１段階進むごとに、オン期間が短くなり、オフ期間が長くなるように設定されている。図２のＳ１２では、制御装置７０は、オンオフデューティをパターン１に設定する。
【００２６】
Ｓ１４では、制御装置７０は、ドラム１０内の衣類Ｃの重量と、衣類Ｃの脱水度とに基づいて、乾燥運転の運転コースを仮判定し、その結果が定格であるか否かを判断する。衣類Ｃの重量は、ドラム１０内の重量センサ（図示しない）によって検出される。衣類Ｃの脱水度は、電極５０が衣類Ｃの水分を検出する頻度に基づいて算出される。衣類Ｃの重量及び脱水度が所定の定格範囲内である場合、制御装置７０は、運転コースの仮判定結果が定格であると判断する。この場合、制御装置７０は、Ｓ１４でＹＥＳと判断し、処理はＳ１６に進む。一方、衣類Ｃの重量又は脱水度が所定の定格範囲外である場合（例えば、衣類Ｃが多すぎる場合や少なすぎる場合（過剰、少量）、衣類Ｃの乾燥が既に相当程度進行している場合（高脱水）等）、制御装置７０は、運転コースの仮判定結果が定格でないと判断する。この場合、制御装置７０は、Ｓ１４でＮＯと判断し、処理はＳ１８に進む。また、S１４では、制御装置７０は、さらに、乾燥運転の運転コースの本判定（以下では、単に「本判定」と呼ぶ）が「未判定」であると設定する。
【００２７】
Ｓ１６、Ｓ１８では、制御装置７０は、衣類温オフ初期値、衣類温オン初期値、排気温オフ初期値、及び、排気温オン初期値の各初期値を設定する。ここで、「衣類温オフ初期値」は、乾燥運転の開始後にバーナ３０をオフするための基準になる衣類温の初期設定値である。「衣類温オン初期値」は、一旦バーナ３０をオフさせた後でバーナ３０を再度オンするための基準になる衣類温の初期設定値である。「排気温オフ初期値」は、乾燥運転の開始後にバーナ３０をオフするための基準になる排気温の初期設定値である。「排気温オン初期値」は、一旦バーナ３０をオフさせた後でバーナ３０を再度オンするための基準になる排気温の初期設定値である。Ｓ１６の場合とＳ１８の場合とでは、設定される各初期値の値が異なる。
【００２８】
Ｓ１６では、衣類温オフ初期値、衣類温オン初期値は、それぞれ、９０℃、７０℃に設定される。そして、排気温オフ初期値、排気温オン初期値は、それぞれ、７２℃、７１℃に設定される。
【００２９】
一方、Ｓ１８では、衣類温オフ初期値、衣類温オン初期値は、それぞれ、８５℃、６５℃に設定される。そして、排気温オフ初期値、排気温オン初期値は、それぞれ、７０℃、６８℃に設定される。
【００３０】
Ｓ２０では、制御装置７０は、閉塞レベルを「０」に設定するとともに、衣類温オフ補正値、衣類温オン補正値、排気温オフ補正値、及び、排気温オン補正値の各補正値を初期設定する。具体的には、制御装置７０は、補正値テーブル７２（図７参照）に基づいて、各補正値を初期設定する。図７に示すように、補正値テーブル７２では、閉塞レベル毎に、各補正値が対応付けられている。Ｓ２０の時点では、いずれの補正値も０に設定される。なお、「衣類温オフ補正値」は、上記の衣類温オフ初期値を補正して、乾燥運転の開始後にバーナ３０をオフするための基準になる衣類温の設定値である衣類温オフ設定値を算出するための値である。また、「衣類温オン補正値」は、上記の衣類温オン初期値を補正して、一旦バーナ３０をオフさせた後でバーナ３０を再度オンするための基準になる衣類温の設定値である衣類温オン設定値を算出するための値である。また、「排気温オフ補正値」は、上記の排気温オフ初期値を補正して、乾燥運転の開始後にバーナ３０をオフするための基準になる排気温の設定値である排気温オフ設定値を算出するための値である。また、「排気温オン補正値」は、上記の排気温オン初期値を補正して、一旦バーナ３０をオフさせた後でバーナ３０を再度オンするための基準になる排気温の設定値である排気温オン設定値を算出するための値である。
【００３１】
Ｓ２２では、制御装置７０は、衣類温オフ設定値、衣類温オン設定値、排気温オフ設定値、及び、排気温オン設定値の各設定値を算出する。衣類温オフ設定値は、衣類温オフ初期値から衣類温オフ補正値を減じた値である。衣類温オン設定値は、衣類温オン初期値から衣類温オン補正値を減じた値である。排気温オフ設定値は、排気温オフ初期値から排気温オフ補正値を減じた値である。排気温オン設定値は、排気温オン初期値から排気温オン補正値を減じた値である。Ｓ１０で乾燥運転が開始された直後のＳ２２では、各補正値が０に設定されるため（Ｓ２０）、各設定値は、Ｓ１６又はＳ１８で設定された各初期値と同じ値になる。
【００３２】
次いで、制御装置７０は、Ｓ２４、Ｓ２６の各監視を実行する。Ｓ２４では、制御装置７０は、排気温サーミスタ２２が検出する排気温が、排気温オフ設定値以上になることを監視する。排気温が排気温オフ設定値以上になる場合、制御装置７０は、Ｓ２４でＹＥＳと判断し、図６のＳ１４０以降の各処理（以下では、「排気温温調処理」と呼ぶ）を実行する。
【００３３】
Ｓ２６では、制御装置７０は、衣類温サーミスタ６０が検出する衣類温が、衣類温オフ設定値以上になることを監視する。衣類温が衣類温オフ設定値以上になる場合、制御装置７０は、Ｓ２６でＹＥＳと判断し、図５のＳ１１０以降の各処理（以下では、「衣類温温調処理」と呼ぶ）を実行する。一方、Ｓ２４及びＳ２６でＮＯと判断される場合、処理はＳ２８に進む。
【００３４】
Ｓ２８では、制御装置７０は、本判定を判定済みであるのか否かを判断する。制御装置７０は、図４のＳ９０以降の処理（以下では、「コース判定処理」と呼ぶ）が実行済みである場合に、本判定が判定済みであると判断する。本判定が判定済みである場合、制御装置７０は、Ｓ２８でＹＥＳと判断し、図３のＳ５０以降の処理（以下では、「閉塞補正処理」と呼ぶ）を実行する。一方、本判定が実行済みでない場合、制御装置７０は、Ｓ２８でＮＯと判断し、処理はＳ３０に進む。
【００３５】
Ｓ３０では、制御装置７０は、Ｓ１０で乾燥運転を開始してから所定期間（例えば２分３０秒）が経過することを監視する。Ｓ１０で乾燥運転を開始してから所定期間が経過すると、制御装置７０はＳ３０でＹＥＳと判断し、コース判定処理（図４）を実行する。一方、所定期間が未経過である場合、制御装置７０はＳ３０でＮＯと判断し、閉塞補正処理（図３）を実行する。
【００３６】
（閉塞補正処理；図３）
図３、図７を参照して、閉塞補正処理の内容について説明する。閉塞補正処理は、衣類温オフ補正値、衣類温オン補正値、排気温オフ補正値、及び、排気温オン補正値の各補正値を設定するための処理である。以下の処理において、各補正値の設定は、補正値テーブル７２（図７参照）を利用して実行される。このため、以下の説明では、各補正値の設定において、「補正値テーブル７２を利用して」という説明を省略する。
【００３７】
Ｓ５０では、制御装置７０は、閉塞レベルを「０」に設定し、各補正値を閉塞レベル０に対応する補正値に設定する。
【００３８】
Ｓ５２では、制御装置７０は、吹出温サーミスタ４０が検出する吹出温が１３０℃以上１５０℃未満であるか否かを判断する。吹出温が１３０℃以上１５０℃未満の範囲内である場合、制御装置７０は、Ｓ５２でＹＥＳと判断し、処理はＳ５４に進む。リントフィルタ１６がリントによって閉塞されると、衣類乾燥機２の通気経路を流れる空気の風量が減り、それに伴って吹出温は高くなる。リントフィルタ１６が殆ど閉塞されていない場合、通常、吹出温は１３０℃未満の範囲に維持されるが、リントフィルタ１６が閉塞されてくると、吹出温は１３０℃以上まで上昇する。そして、リントフィルタ１６の閉塞度合が高くなるに従って、吹出温も高くなる。Ｓ５４では、制御装置７０は、閉塞レベルを「１」に設定し、各補正値を再設定する。Ｓ５４では、衣類温オフ補正値が５、衣類温オン補正値が５、排気温オフ補正値が３、排気温オン補正値が３にそれぞれ設定される。Ｓ５４が終了すると、処理はＳ５６に進む。一方、吹出温が１３０℃以上１５０℃未満の範囲外である場合、制御装置７０は、Ｓ５２でＮＯと判断し、処理はＳ５４をスキップしてＳ５６に進む。
【００３９】
Ｓ５６では、制御装置７０は、吹出温が１５０℃以上１７０℃未満であるか否かを判断する。吹出温が１５０℃以上１７０℃未満の範囲内である場合、制御装置７０は、Ｓ５６でＹＥＳと判断し、処理はＳ５８に進む。Ｓ５８では、制御装置７０は、閉塞レベルを「２」に設定し、各補正値を再設定する。Ｓ５６では、衣類温オフ補正値が１０、衣類温オン補正値が１０、排気温オフ補正値が５、排気温オン補正値が５にそれぞれ設定される。Ｓ５８を終了すると、処理はＳ６０に進む。一方、吹出温が１５０℃以上１７０℃未満の範囲外である場合、制御装置７０は、Ｓ５６でＮＯと判断し、処理はＳ５８をスキップしてＳ６０に進む。
【００４０】
Ｓ６０では、制御装置７０は、吹出温が１７０℃以上１９０℃未満であるか否かを判断する。吹出温が１７０℃以上１９０℃未満の範囲内である場合、制御装置７０は、Ｓ６０でＹＥＳと判断し、Ｓ６２に進む。Ｓ６２では、制御装置７０は、閉塞レベルを「３」に設定し、各補正値を再設定する。Ｓ６２では、衣類温オフ補正値が１５、衣類温オン補正値が１５、排気温オフ補正値が１０、排気温オン補正値が１０にそれぞれ設定される。Ｓ６２を終了すると、処理はＳ６４に進む。一方、吹出温が１７０℃以上１９０℃未満の範囲外である場合、制御装置７０は、Ｓ６０でＮＯと判断し、処理はＳ６２をスキップしてＳ６４に進む。
【００４１】
Ｓ６４では、制御装置７０は、吹出温が１９０℃以上２１０℃未満であるか否かを判断する。吹出温が１９０℃以上２１０℃未満の範囲内である場合、制御装置７０は、Ｓ６４でＹＥＳと判断し、Ｓ６６に進む。Ｓ６６では、制御装置７０は、閉塞レベルを「４」に設定し、各補正値を再設定する。Ｓ６４では、衣類温オフ補正値が２０、衣類温オン補正値が２０、排気温オフ補正値が１５、排気温オン補正値が１５にそれぞれ設定される。Ｓ６６を終了すると、処理はＳ６８に進む。一方、吹出温が１９０℃以上２１０℃未満の範囲外である場合、制御装置７０は、Ｓ６４でＮＯと判断し、処理はＳ６６をスキップしてＳ６８に進む。
【００４２】
Ｓ６８では、制御装置７０は、吹出温が２１０℃以上２３０℃未満であるか否かを判断する。吹出温が２１０℃以上２３０℃未満の範囲内である場合、制御装置７０は、Ｓ６８でＹＥＳと判断し、Ｓ７０に進む。Ｓ７０では、制御装置７０は、閉塞レベルを「５」に設定し、各補正値を再設定する。Ｓ６８では、衣類温オフ補正値が３０、衣類温オン補正値が３０、排気温オフ補正値が１８、排気温オン補正値が１８にそれぞれ設定される。Ｓ７０を終了すると、処理はＳ７２に進む。一方、吹出温が２１０℃以上２３０℃未満の範囲外である場合、制御装置７０は、Ｓ６８でＮＯと判断し、処理はＳ７０をスキップしてＳ７２に進む。
【００４３】
Ｓ７２では、制御装置７０は、吹出温が２３０℃以下であるか否かを判断する。吹出温が２３０℃を超えている場合、制御装置７０は、Ｓ７２でＮＯと判断し、処理はＳ７４に進む。そして、S７４では、制御装置７０は、乾燥運転をエラー停止させる。この場合、制御装置７０は、モータ１２及びファン１４を停止させるとともに、バーナ３０をオフする。そして、制御装置７０は、報知ランプを点灯させる。Ｓ７４を終えると、制御装置７０は、乾燥運転をエラー終了する。これにより、報知ランプを見た利用者は、現在リントフィルタ１６が閉塞されており、清掃が必要であることを知ることができる。一方、吹出温が２３０℃以下である場合、制御装置７０は、Ｓ７２でＹＥＳと判断し、処理は図２のＳ２２に戻る。即ち、Ｓ２２では、制御装置７０は、この時点で設定されている各補正値（図３のＳ５０、Ｓ５４、Ｓ５８、Ｓ６２、Ｓ６６、Ｓ７０のいずれか）を利用して、各設定値を再度算出する。そして、再度算出された各設定値に従って、乾燥運転を継続する。
【００４４】
上述のように、制御装置７０は、Ｓ２４又はＳ２６でＹＥＳと判断されるまでの間、閉塞補正処理（図３）を繰り返し実行し、その間に設定された最新の各補正値を用いて各設定値を随時更新しながら（図２のＳ２２）、乾燥運転を継続する。
【００４５】
（コース判定処理；図４）
図４を参照して、コース判定処理の内容について説明する。コース判定処理は、図２のＳ２４、Ｓ２６でＹＥＳと判断されることなく所定期間が経過した場合に１回だけ実行される処理である。
【００４６】
Ｓ９０では、制御装置７０は、ドラム１０内の衣類Ｃの重量と、衣類Ｃの脱水度と、に基づいて、乾燥運転の運転コースを判定（本判定）し、その結果が定格であるか否かを判断する。Ｓ９０の処理の内容は、図２のＳ１４と同様であるため、詳しい説明は省略する。運転コースの判定結果が定格であると判断される場合（Ｓ９０でＹＥＳ）、処理はＳ９２に進む。一方、運転コースの判定結果が定格でないと判断される場合（Ｓ９０でＮＯ）、処理はＳ９４に進む。また、Ｓ９０では、制御装置７０は、本判定が「判定済み」と設定する。
【００４７】
Ｓ９２、Ｓ９４の処理は、それぞれ、図２のＳ１６、Ｓ１８の処理と同じ処理である。Ｓ９２又はＳ９４が終了すると、処理は図３のＳ５０に進む。即ち、制御装置７０は、閉塞補正処理を実行する。
【００４８】
（衣類温温調処理；図５）
図５を参照して、衣類温温調処理について説明する。Ｓ１１０では、制御装置７０は、閉塞レベルが４以上であるか否かを判断する。即ち、制御装置７０は、吹出温が１９０℃以上であるのか否かを判断する。閉塞レベルが４又は５である場合、制御装置７０は、Ｓ１１０でＹＥＳと判断し、処理はＳ１１２に進む。Ｓ１１２では、制御装置７０は、報知ランプを点灯させる。これにより、報知ランプを見た利用者は、現在リントフィルタ１６が閉塞されており、清掃が必要であることを知ることができる。一方、閉塞レベルが０〜３である場合、制御装置７０は、Ｓ１１０でＮＯと判断し、処理はＳ１１０をスキップしてＳ１１４に進む。
【００４９】
Ｓ１１４では、制御装置７０は、バーナ３０をオフする。Ｓ１１６では、制御装置７０は、衣類温が衣類温オン設定値未満になることを監視する。バーナ３０をオフした後で、衣類温が衣類温オン設定値未満まで低下すると、制御装置７０は、Ｓ１１６でＹＥＳと判断し、処理はＳ１１８に進む。
【００５０】
Ｓ１１８では、制御装置７０は、再びバーナ３０をオンする。そして、制御装置７０は、Ｓ１２０、Ｓ１２２の監視を実行する。Ｓ１２０では、制御装置７０は、排気温が排気温オフ設定値以上になることを監視する。排気温が排気温オフ設定値以上になる場合、制御装置７０は、Ｓ１２０でＹＥＳと判断し、図６の排気温温調処理を実行する。この場合、衣類温温調処理は終了する。Ｓ１２２では、制御装置７０は、衣類温が衣類温オフ設定値以上になることを監視する。衣類温が衣類温オフ設定値以上になる場合、制御装置７０は、Ｓ１２２でＹＥＳと判断し、処理はＳ１１４に戻る。即ち、制御装置７０は、排気温が排気温オフ設定値以上になるまでは、衣類温に基づいて、バーナ３０の動作を制御する。
【００５１】
（排気温温調処理；図６）
図６を参照して、排気温温調処理の内容について説明する。Ｓ１４０、Ｓ１４２の処理は、それぞれ、図５のＳ１１０、Ｓ１１２の処理と同じ処理である。
【００５２】
Ｓ１４４では、制御装置７０は、バーナ３０をオフするとともに、オフ期間をカウントするためのオフタイマをスタートさせる。次いで、制御装置７０は、Ｓ１４６、１４８の監視を実行する。Ｓ１４６では、制御装置７０は、Ｓ１４４でオフタイマをスタートさせてからオフ期間が経過することを監視する。オフ期間が未経過である場合、制御装置７０は、Ｓ１４６でＮＯと判断し、処理はＳ１４８に進む。Ｓ１４８では、制御装置７０は、排気温が排気温オン設定値未満になることを監視する。バーナ３０をオフした後で、排気温が排気温オン設定値未満まで低下すると、制御装置７０は、Ｓ１４８でＹＥＳと判断し、処理はＳ１５０に進む。一方、オフ期間が経過すると、制御装置７０は、Ｓ１４６でＹＥＳと判断し、処理はＳ１４８をスキップしてＳ１５０に進む。
【００５３】
Ｓ１５０では、制御装置７０は、再びバーナ３０をオンするとともに、オン期間をカウントするためのオンタイマをスタートさせる。
【００５４】
Ｓ１５２では、制御装置７０は、オン期間が経過することを監視する。オン期間が経過すると、制御装置７０はＳ１５２でＹＥＳと判断し、処理はＳ１４４に戻る。一方、オン期間が未経過である場合、制御装置７０はＳ１５２でＮＯと判断し、処理はＳ１５４に進む。
【００５５】
Ｓ１５４の処理は、図２のＳ２６と同じ処理である。衣類温が衣類温オフ設定値以上である場合、制御装置７０は、Ｓ１５４でＹＥＳと判断し、処理はＳ１５６に進む。一方、衣類温が衣類温オフ設定値未満である場合、制御装置７０はＳ１５４でＮＯと判断し、処理はＳ１７０に進む。Ｓ１５６では、制御装置７０は、バーナ３０をオフする。
【００５６】
次いで、制御装置７０は、Ｓ１５８、Ｓ１６０の監視を実行する。Ｓ１５８では、制御装置７０は、衣類温が衣類温オン設定値未満になることを監視する。バーナ３０をオフした後で、衣類温が衣類温オン設定値未満まで低下すると、制御装置７０は、Ｓ１５８でＹＥＳと判断し、処理はＳ１６０に進む。Ｓ１６０では、制御装置７０は、排気温が排気温オン設定値未満になることを監視する。バーナ３０をオフした後で、排気温が排気温オン設定値未満まで低下すると、制御装置７０は、Ｓ１６０でＹＥＳと判断し、処理はＳ１５２に戻る。
【００５７】
また、Ｓ１７０では、制御装置７０は、排気温が排気温オフ設定値以上であるか否かを判断する。排気温が排気温オフ設定値以上である場合、制御装置７０は、Ｓ１７０でＹＥＳと判断し、処理はＳ１７２に進む。一方、排気温が排気温オフ設定値未満である場合、制御装置７０は、Ｓ１７０でＮＯと判断し、処理はＳ１５２に戻る。
【００５８】
Ｓ１７２では、制御装置７０は、オンオフデューティのパターンを１段階進める。例えば、オンオフデューティのパターンがパターン１（即ち、オン：オフ＝５０秒：１０秒）に設定されていた場合、Ｓ１７２では、制御装置７０は、オンオフデューティのパターンをパターン２（即ち、オン：オフ＝４５秒：１５秒）に変更する。Ｓ１７２を終えると、処理はＳ１４４に戻り、制御装置７０は、バーナ３０を再度オフするとともに、オフタイマをスタートさせる。これ以後、制御装置７０は、Ｓ１７２で変更された後のオンオフデューティのパターンが示すオン期間及びオフ期間に従って、Ｓ１４４〜Ｓ１７２の各処理を実行する。
【００５９】
以上の通り、乾燥運転の実行中には、上記の各処理（図２〜図６参照）が実行される。所定の乾燥運転時間が経過した場合、又は、操作部８に所定の乾燥中止操作が入力される場合に、制御装置７０は、バーナ３０をオフするとともに、モータ１２及びファン１４を停止させ、乾燥運転を終了させる。その場合、図２〜図６の処理も終了する。
【００６０】
（乾燥運転；図８）
図８を参照して、図２〜図６の処理によって実現される乾燥運転の一例について説明する。図８は、吹出温、排気温、衣類温、衣類温オフ設定値、衣類温オン設定値、及び、電磁弁３４の動作状態の推移を示すグラフである。電磁弁３４の「ＯＮ」は、バーナ３０が作動中であることを示し、「ＯＦＦ」は、バーナ３０が停止中であることを示す。なお、グラフを見易くするために、排気温オフ設定値、排気温オン設定値を省略している。また、図８の乾燥運転では、排気温が排気温オフ設定値を超えないため、以下では、排気温に関する初期値、補正値、設置値の説明を省略する。なお、図８の乾燥運転において、衣類Ｃの重さは７ｋｇであり、衣類Ｃの重量の定格範囲外である。また、乾燥運転時間は４５分に設定されている。また、リントフィルタ１６は、ある程度閉塞している。
【００６１】
時刻Ｔ０において、操作部８において乾燥開始操作が入力されると、制御装置７０は、メイン処理（図２）を開始する。そして、制御装置７０は、モータ１２及びファン１４を回転させるとともに、バーナ３０を作動させ（図２のＳ１０）、オンオフデューティをパターン１に設定する（図２のＳ１２）。そして、制御装置７０は、運転コースの仮判定の結果が定格ではない（過剰である）と判断し（図２のＳ１４でＮＯ）、衣類温オフ初期値、衣類温オン初期値を、それぞれ、８５℃、６５℃に設定する（図２のＳ１８）。次いで、制御装置７０は、閉塞レベルを「０」に設定し、各補正値（衣類温オフ補正値、衣類温オン補正値）を初期設定し（図２のＳ２０）、各設定値（衣類温オフ設定値、衣類温オン設定値）を算出する（図２のＳ２２）。この時点において、各設定値は、各初期値と同じ値である。
【００６２】
時刻Ｔ１において、吹出温が１３０℃に到達すると、制御装置７０は、吹出温が１３０℃以上１５０℃未満の範囲内であると判断し（図３のＳ５２でＹＥＳ）、閉塞レベルを０から１に変更し、各補正値を再設定する（図３のＳ５４）。そして、制御装置７０は、衣類温オフ設定値、衣類温オン設定値を、それぞれ、８０℃、６０℃に補正する（図２のＳ２２）。
【００６３】
時刻Ｔ２において、吹出温が１５０℃に到達すると、制御装置７０は、吹出温が１５０℃以上１７０℃未満の範囲内であると判断し（図３のＳ５６でＹＥＳ）、閉塞レベルを１から２に変更し、各補正値を再設定する（図３のＳ５８）。そして、制御装置７０は、衣類温オフ設定値、衣類温オン設定値を、それぞれ、７５℃、５５℃に補正する（図２のＳ２２）。
【００６４】
時刻Ｔ３において、所定時間（２分３０秒）が経過すると、制御装置７０は、所定時間が経過したと判断し（図２のＳ３０でＹＥＳ）、図４のコース判定処理を実行する。制御装置７０は、運転コースの本判定の結果が定格でないと判断し（図４のＳ９０でＮＯ）、各初期値を決定する（図４のＳ９２）。
【００６５】
時刻Ｔ４において、吹出温が１７０℃に到達すると、制御装置７０は、吹出温が１７０℃以上１９０℃未満の範囲内であると判断し（図３のＳ６０でＹＥＳ）、閉塞レベルを２から３に変更し、各補正値を再設定する（図３のＳ６２）。そして、制御装置７０は、衣類温オフ設定値、衣類温オン設定値を、それぞれ、７０℃、５０℃に補正する（図２のＳ２２）。
【００６６】
図８の乾燥運転では、時刻Ｔ５の直前から時刻Ｔ６の間において、吹出温が一時的に上昇している。これは、リントフィルタ１６に衣類Ｃが張り付いているためである。この場合、時刻Ｔ５において、吹出温が１９０℃に到達すると、制御装置７０は、吹出温が１９０℃以上２１０℃未満の範囲内であると判断し（図３のＳ６４でＹＥＳ）、閉塞レベルを３から４に変更し、各補正値を再設定する（図３のＳ６６）。そして、制御装置７０は、衣類温オフ設定値、衣類温オン設定値を、それぞれ、６５℃、４５℃に補正する（図２のＳ２２）。
【００６７】
時刻Ｔ６において、リントフィルタ１６への衣類Ｃの張り付きが解消されると、吹出温は急激に減少する。そして、時刻Ｔ７において、吹出温が１９０℃未満になると、制御装置７０は、吹出温が１７０℃以上１９０℃未満の範囲内であると判断し（図３のＳ６０でＹＥＳ）、閉塞レベルを４から３に変更し、各補正値を再設定する（図３のＳ６２）。即ち、制御装置７０は、閉塞レベルを低下させる。そして、制御装置７０は、衣類温オフ設定値、衣類温オン設定値を、それぞれ、７０℃、５０℃に補正する（図２のＳ２２）。
【００６８】
時刻Ｔ８において、吹出温が１９０℃に到達すると、制御装置７０は、吹出温が１９０℃以上２１０℃未満の範囲内であると判断し（図３のＳ６４でＹＥＳ）、閉塞レベルを３から４に変更し、各補正値を再設定する（図３のＳ６２）。そして、制御装置７０は、衣類温オフ設定値、衣類温オン設定値を、それぞれ、６５℃、４５℃に補正する（図２のＳ２２）。
【００６９】
時刻Ｔ９において、吹出温が１９０℃未満になると、制御装置７０は、吹出温が１７０℃以上１９０℃未満の範囲内であると判断し（図３のＳ６０でＹＥＳ）、閉塞レベルを４から３に変更し、各補正値を再設定する（図３のＳ６２）。そして、制御装置７０は、衣類温オフ設定値、衣類温オン設定値を、それぞれ、７０℃、５０℃に補正する（図２のＳ２２）。
【００７０】
時刻Ｔ１０において、衣類温が７０℃に到達すると、制御装置７０は、衣類温が衣類温オフ設定値以上であると判断し（図２のＳ２６でＹＥＳ）、図５の衣類温温調処理を実行する。これ以降、制御装置７０は、時刻Ｔ１０の時点における衣類温オフ設定値（７０℃）、衣類温オン設定値（５０℃）を利用して、バーナ３０の動作を制御する。制御装置７０は、閉塞レベルが４未満であると判断し（図５のＳ１１０）、報知ランプを点灯させることなく、バーナ３０をオフする（図５のＳ１１４）。制御装置７０は、バーナ３０を停止させた後に、衣類温が５０℃未満になる場合（図５のＳ１１６でＹＥＳ）に、バーナ３０を再びオンさせる（図５のＳ１１８）。制御装置７０は、バーナ３０を再びオンした後に、衣類温が７０℃以上になる場合（図５のＳ１２２でＹＥＳ）にバーナ３０をオフする（図５のＳ１１４）。制御装置７０は、乾燥運転を開始してから４５分が経過するまでの間、これらの処理を繰り返し実行する。
【００７１】
以上、本実施例の衣類乾燥機２の構成及び運転内容について説明した。上述のように、乾燥運転を開始させた後、衣類温が初めて衣類温オフ設定値以上になった時点において（図８の時刻Ｔ１０、以下では、「移行時点」と呼ぶ）、吹出温は、安定した温度になっている。一方、乾燥運転を開始させた後、衣類温が初めて衣類温オフ設定値以上になるまでの間（図８の時刻Ｔ０〜時刻Ｔ１０）において、衣類Ｃがリントフィルタ１６に張り付き、吹出温が一時的に高温になる場合がある（図８の時刻Ｔ５〜Ｔ６）。しかしながら、リントフィルタ１６への衣類Ｃの張り付きは一時的な現象である場合が多い。即ち、リントフィルタ１６への衣類Ｃの張り付きは、比較的に短い期間で解消され、吹出温は元に戻る。このような状況において、リントフィルタ１６への衣類Ｃの張り付きによって高温になった吹出温（図８の時刻Ｔ６の時点の吹出温）よりも、安定後の吹出温（図８の時刻Ｔ１０の時点の吹出温）が低い場合がある。衣類Ｃがリントフィルタ１６に張り付いたことによって吹出温が一時的に高温になった場合でも、移行時点では、吹出温は安定した温度に戻っている可能性が高い。上記の構成によると、制御装置７０は、乾燥運転の開始後、衣類温が初めて衣類温オフ設置値以上になるまでの間、吹出温に応じて、衣類温オフ設定値を補正する。従って、衣類Ｃがリントフィルタ１６に張り付く等の現象によって吹出温が一時的に高温になった場合でも、制御装置７０は、衣類温オフ設定値を、リントフィルタ１６の閉塞度合いに対応する適切な値に補正することができる。このため、制御装置７０は、適切な衣類温オフ設定値を利用して、乾燥運転を適切に実行することができる（図８の時刻Ｔ１０以降の乾燥運転）。この結果、乾燥運転が適切に完了する。なお、乾燥運転が適切に完了する場合とは、乾燥運転時間が適切な場合、又は、乾燥運転終了後の衣類Cの乾燥状態が適切な場合などである。
【００７２】
また、制御装置７０は、乾燥運転を開始させた後、衣類温が初めて衣類温オフ設定値以上になったとき（図２のＳ２６でＹＥＳ）、吹出温が１９０℃である場合に、報知ランプを点灯させる（図５のＳ１１０、Ｓ１１２）。移行時点において、吹出温は比較的安定した温度になっている可能性が高い。従って、制御装置７０は、例えば、衣類Ｃがリントフィルタ１６に張り付く等の現象によって吹出温が一時的に高温になった場合でも、報知ランプを点灯させるのか否かを適切に判断することができる。
【００７３】
また、吹出温が比較的に高温（本実施例では２３０℃以上）である場合、リントフィルタ１６の清掃が必要であることをユーザに早期に報知する必要がある。上記の構成によると、制御装置７０は、乾燥運転を開始させた後、衣類温が初めて衣類温オフ設定値以上になるまでの間、吹出温が２３０℃以上である場合（図３のＳ７２でＹＥＳ）に、報知ランプを点灯させる。従って、リントフィルタ１６の清掃が必要であることをユーザに早期に報知することができる。
【００７４】
また、本実施例では、制御装置７０は、図３の閉塞補正処理において、衣類温オフ補正値及び排気温オフ補正値とともに、衣類温オン補正値及び排気温オン補正値を補正する。このため、バーナ３０をオフする際の基準となる衣類温及び排気温（即ち、衣類温オフ設定値及び排気温オフ設定値）とともに、バーナ３０をオンする際の基準となる衣類温及び排気温（即ち、衣類温オン設定値及び排気温オン設定値）も補正することができる。そのため、バーナ３０のオンオフの繰り返し回数を調整し、ドラム１０内の温度を、衣類Ｃの乾燥に適した温度に適切に維持することができる。
【００７５】
（対応関係）
衣類温又は排気温が、「関係温度」の一例である。衣類温サーミスタ６０又は排気温サーミスタ２２が、「関係温度検出手段」の一例である。衣類温オフ設定値又は排気温オフ設定値が、「所定のオフ閾値」の一例である。衣類温オン設定値又は排気温オン設定値が、「所定のオン閾値」の一例である。操作部８の報知ランプが、「報知装置」の一例である。Ｓ７２の２３０℃、Ｓ６４の１９０℃が、それぞれ、「第１の所定値」、「第２の所定値」の一例である。
【００７６】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００７７】
（変形例１）制御装置７０は、衣類温が衣類温オフ設定値を超える前、即ち、衣類温温調処理が開始される前において、吹出温が１９０℃になった場合に、報知ランプを点灯させ、吹出温が１９０℃未満に戻った場合に、報知ランプを消灯させてもよい。また、制御装置７０は、衣類温が衣類温オフ設定値を超える前において、吹出温が１９０℃以上である時間が所定時間を超える場合に、報知ランプを点灯させてもよい。
【００７８】
（変形例２）制御装置７０は、図２のＳ２０、図３のＳ５４、Ｓ５８、Ｓ６２、Ｓ６６、Ｓ７０において、衣類温オフ補正値及び排気温オフ補正値のみを設定し、衣類温オン補正値及び排気温オン補正値の設定を省略してもよい。この場合、図２のＳ２２において、制御装置７０は、衣類温オン初期値及び排気温オン初期値を、それぞれ、そのまま衣類温オン設定値及び排気温オン設定値として特定してもよい（即ち、補正値を減じる計算を行わなくてよい）。
【００７９】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８０】
２    ：衣類乾燥機
４    ：筐体
６    ：ドア
８    ：操作部
１０  ：ドラム
１０ａ：前面開口部
１０ｂ：後面開口部
１２  ：モータ
１４  ：ファン
１６  ：リントフィルタ
２０  ：排気口
２２  ：排気温サーミスタ
３０  ：バーナ
３２  ：ガス供給管
３４  ：電磁弁
３６  ：吹出口
４０  ：吹出温サーミスタ
５０  ：電極
６０  ：衣類温サーミスタ
７０  ：制御装置
Ｃ    ：衣類
【図１】
2019037590.tif 000003
【図２】
2019037590.tif 000004
【図３】
2019037590.tif 000005
【図４】
2019037590.tif 000006
【図５】
2019037590.tif 000007
【図６】
2019037590.tif 000008
【図７】
2019037590.tif 000009
【図８】
2019037590.tif 000010